(57)【要約】【課題】印刷設備の電力管理システム及び印刷機において、無駄な電力消費を抑制する一方で、高い印刷品質を維持して省エネ化を可能とする。【解決手段】建屋Ｆと、建屋Ｆ内に設置されてウェブＷに対して印刷を行う新聞用オフセット輪転印刷機１０と、建屋Ｆ内の温度を調整する空調装置３０と、新聞用オフセット輪転印刷機１０の印刷スケジュールに応じて空調装置３０を作動制御する制御装置９１とを設ける。【選択図】図２
2015147371.tif 000002
【特許請求の範囲】
【請求項１】
建屋と、
前記建屋内に設置されて被印刷媒体に対して印刷を行う印刷機と、
前記建屋内の温度または湿度を調整する空調装置と、
前記印刷機の印刷スケジュールに応じて前記空調装置を作動制御する制御装置と、
を有することを特徴とする印刷設備の電力管理システム。
【請求項２】
前記制御装置は、前記印刷機による印刷開始時に前記印刷機の温度または湿度が予め設定された目標値となるように前記空調装置の作動開始時間を設定することを特徴とする請求項１に記載の印刷設備の電力管理システム。
【請求項３】
前記印刷機の温度を検出する印刷機温度センサが設けられ、前記制御装置は、前記印刷機温度センサが検出した印刷機温度に基づいて前記空調装置を作動制御することを特徴とする請求項２に記載の印刷設備の電力管理システム。
【請求項４】
前記印刷機の湿度を検出する印刷機湿度センサが設けられ、前記制御装置は、前記印刷機湿度センサが検出した印刷機湿度に基づいて前記空調装置を作動制御することを特徴とする請求項２に記載の印刷設備の電力管理システム。
【請求項５】
前記制御装置は、前記印刷機による印刷終了時と同時に前記空調装置を停止することを特徴とする請求項１から請求項４のいずれか一項に記載の印刷設備の電力管理システム。
【請求項６】
前記制御装置は、前記印刷機による印刷終了時から次の印刷開始時までの待機時間が予め設定された上限時間より短いときは、前記印刷機による印刷終了時に前記空調装置の作動を継続することを特徴とする請求項５に記載の印刷設備の電力管理システム。
【請求項７】
前記印刷機は、複数の印刷ユニットを有すると共に、前記複数の印刷ユニットを仕切る可動式仕切壁を有し、前記制御装置は、前記複数の印刷ユニットのいずれかが停止中であるとき、前記可動式仕切壁により稼働中の前記印刷ユニットを区画することを特徴とする請求項１から請求項６のいずれか一項に記載の印刷設備の電力管理システム。
【請求項８】
前記印刷機は、複数の印刷ユニットを有し、前記空調装置は、前記複数の印刷ユニットに対応する複数の空調ユニットを有し、前記制御装置は、前記複数の印刷ユニットの消費電力及び前記複数の空調ユニットの消費電力を合計した合計消費電力が予め設定された所定の上限消費電力を超えないように前記印刷機の印刷スケジュールを調整することを特徴とする請求項１から請求項７のいずれか一項に記載の印刷設備の電力管理システム。
【請求項９】
前記建屋の外気温度を検出する外気温度センサが設けられ、前記制御装置は、前記外気温度センサが検出した外気温度に基づいて前記空調装置を作動制御することを特徴とする請求項１から請求項８のいずれか一項に記載の印刷設備の電力管理システム。
【請求項１０】
前記印刷機による印刷作業の最適温度管理データ及び最適湿度管理データを格納するデータベースが設けられ、前記制御装置は、前記データベースの管理データに基づいて前記空調装置を作動制御することを特徴とする請求項１から請求項９のいずれか一項に記載の印刷設備の電力管理システム。
【請求項１１】
前記建屋内に前記印刷機を照らす照明装置が設けられ、前記制御装置は、前記印刷機による印刷開始時に前記照明装置の作動開始時間を設定することを特徴とする請求項１から請求項１０のいずれか一項に記載の印刷設備の電力管理システム。
【請求項１２】
前記印刷機は、主機盤が接続され、主機盤は、内部に冷却器が設けられ、前記制御装置は、前記印刷機による印刷開始時に前記冷却器の作動開始時間を設定することを特徴とする請求項１から請求項１１のいずれか一項に記載の印刷設備の電力管理システム。
【発明の詳細な説明】
【技術分野】
【０００１】
本発明は、印刷機が収容される建屋全体の電力を管理する印刷設備の電力管理システムに関するものである。
【背景技術】
【０００２】
例えば、新聞用オフセット輪転印刷機は、給紙装置と印刷装置とウェブパス装置と折機とから構成されている。この場合、給紙装置、印刷装置、ウェブパス装置、折機などは、一つの建物ではあるものの、異なる階に設置されており、複数の空調設備により室温が印刷作業に適した温度となるように管理されている。そのため、新聞用オフセット輪転印刷機が稼働中に電力を消費するだけでなく、複数の空調設備も所定の電力を消費している。
【０００３】
印刷設備の電力を管理するものとして、例えば、下記特許文献に記載されたものがある。特許文献１に記載された印刷機の温度制御装置は、複数の印刷ユニットに対応して装備された複数の温度調節装置の全てに電源を投入して各印刷ユニットの全てを同時に温度制御するパラレルモードと、複数の温度調節装置に電源を順次に投入して複数の印刷ユニットを順次に温度制御するシーケンシャルモードとに設定することで、契約電力の容量を小さくすることができるものである。また、特許文献２に記載されたオフセット印刷機のエネルギー管理システムは、オフセット印刷機のエネルギー消費量とオフセット印刷機の運転情報をエネルギー管理画面として表示することで、印刷機の運転状態を把握すると共に消費エネルギーを管理することができるものである。
【先行技術文献】
【特許文献】
【０００４】
【特許文献１】特開平１１−１３８７５８号公報
【特許文献２】特開２０１１−２０７０４５号公報
【発明の概要】
【発明が解決しようとする課題】
【０００５】
ところで、新聞用オフセット輪転印刷機は、印刷物としての新聞を印刷するものであることから、常時稼働するものではなく、例えば、朝刊や夕刊を印刷するときだけ稼働するものである。一方、空調設備は、印刷機の周囲温度を適正温度に維持する必要から、基本的に、新聞用オフセット輪転印刷機が停止しているときでも、作動している。また、印刷機の主機盤を冷却する冷却ファンも、常時作動している。そのため、印刷設備の省エネ化が望まれている。
【０００６】
本発明は、上述した課題を解決するものであり、無駄な電力消費を抑制する一方で、高い印刷品質を維持して省エネ化を可能とする印刷設備の電力管理システムを提供することを目的とする。
【課題を解決するための手段】
【０００７】
上述の目的を達成するための本発明の印刷設備の電力管理システムは、建屋と、前記建屋内に設置されて被印刷媒体に対して印刷を行う印刷機と、前記建屋内の温度または湿度を調整する空調装置と、前記印刷機の印刷スケジュールに応じて前記空調装置を作動制御する制御装置と、を有することを特徴とするものである。
【０００８】
従って、制御装置は、印刷機の印刷スケジュールに応じて空調装置を作動制御するため、印刷中は、室温、つまり、印刷機の温度または湿度が適正値に維持される一方、印刷終了後は、空調装置が停止して電力消費が抑制されることとなり、無駄な電力消費を抑制することができる一方で、高い印刷品質を維持することができ、その結果、印刷作業の省エネ化を促進することができる。
【０００９】
本発明の印刷設備の電力管理システムでは、前記制御装置は、前記印刷機による印刷開始時に前記印刷機の温度または湿度が予め設定された目標値となるように前記空調装置の作動開始時間を設定することを特徴としている。
【００１０】
従って、印刷開始時に目標値となるように空調装置の作動開始時間を設定することから、事前に空調装置を作動して温度または湿度を調整することとなり、空調装置を必要な時だけ作動することから、空調装置の電力消費を抑制して無駄な電力消費を抑制することができる。
【００１１】
本発明の印刷設備の電力管理システムでは、前記印刷機の温度を検出する印刷機温度センサが設けられ、前記制御装置は、前記印刷機温度センサが検出した印刷機温度に基づいて前記空調装置を作動制御することを特徴としている。
【００１２】
従って、印刷機温度に基づいて空調装置を作動制御することから、印刷機の温度を目標温度に適正に維持することができる。
【００１３】
本発明の印刷設備の電力管理システムでは、前記印刷機の湿度を検出する印刷機湿度センサが設けられ、前記制御装置は、前記印刷機湿度センサが検出した印刷機湿度に基づいて前記空調装置を作動制御することを特徴としている。
【００１４】
従って、印刷機湿度に基づいて空調装置を作動制御することから、印刷機の湿度を目標温度に適正に維持することができる。
【００１５】
本発明の印刷設備の電力管理システムでは、前記制御装置は、前記印刷機による印刷終了時と同時に前記空調装置を停止することを特徴としている。
【００１６】
従って、印刷終了時と同時に空調装置を停止することで、空調装置の電力消費を抑制して無駄な電力消費を抑制することができる。
【００１７】
本発明の印刷設備の電力管理システムでは、前記制御装置は、前記印刷機による印刷終了時から次の印刷開始時までの待機時間が予め設定された上限時間より短いときは、前記印刷機による印刷終了時に前記空調装置の作動を継続することを特徴としている。
【００１８】
従って、印刷が終了すると同時に空調装置を停止することで、空調装置の電力消費を抑制する必要がある一方で、印刷開始時に印刷機を目標温度とするには、事前に空調装置を作動して室温を調整する必要がある。この場合、印刷終了時から次の印刷開始時までの待機時間が上限時間より短いときは、空調装置を停止して再作動するよりも、空調装置を低出力で作動しておく方が、電力消費が抑制される。そのため、印刷終了時から次の印刷開始時までの待機時間に応じて空調装置の停止と作動を選択することで、無駄な電力消費を抑制することができる。
【００１９】
本発明の印刷設備の電力管理システムでは、前記印刷機は、複数の印刷ユニットを有すると共に、前記複数の印刷ユニットを仕切る可動式仕切壁を有し、前記制御装置は、前記複数の印刷ユニットのいずれかが停止中であるとき、前記可動式仕切壁により稼働中の前記印刷ユニットを区画することを特徴としている。
【００２０】
従って、複数の印刷ユニットのいずれかが停止中であるとき、可動式仕切壁により稼働中の印刷ユニットを区画するため、空調装置が温度制御する領域が減少することとなり、空調装置の出力を低下させることで消費電力を低減することができる。
【００２１】
本発明の印刷設備の電力管理システムでは、前記印刷機は、複数の印刷ユニットを有し、前記空調装置は、前記複数の印刷ユニットに対応する複数の空調ユニットを有し、前記制御装置は、前記複数の印刷ユニットの消費電力及び前記複数の空調ユニットの消費電力を合計した合計消費電力が予め設定された所定の上限消費電力を超えないように前記印刷機の印刷スケジュールを調整することを特徴としている。
【００２２】
従って、複数の印刷ユニットの消費電力と複数の空調ユニットの消費電力の合計消費電力が上限消費電力を超えないように印刷スケジュールを調整することで、印刷設備全体の総合消費電力を契約電力以下に維持することができ、無駄な電力料金の発生を防止することができる。
【００２３】
本発明の印刷設備の電力管理システムでは、前記建屋の外気温度を検出する外気温度センサが設けられ、前記制御装置は、前記外気温度センサが検出した外気温度に基づいて前記空調装置を作動制御することを特徴としている。
【００２４】
従って、空調装置により室温を上昇させたり低下させたりする能力は、外気温度により上下することから、外気温度に基づいて空調装置を作動制御することで、印刷スケジュールに合わせて印刷機の温度を適正に調整することができる。
【００２５】
本発明の印刷設備の電力管理システムでは、前記印刷機による印刷作業の最適温度管理データ及び最適湿度管理データを格納するデータベースが設けられ、前記制御装置は、前記データベースの管理データに基づいて前記空調装置を作動制御することを特徴としている。
【００２６】
従って、過去の最適温度管理データや最適湿度管理データに基づいて空調装置を作動制御することで、空調装置の制御を簡単で高精度に行うことができる。
【００２７】
本発明の印刷設備の電力管理システムでは、前記建屋内に前記印刷機を照らす照明装置が設けられ、前記制御装置は、前記印刷機による印刷開始時に前記照明装置の作動開始時間を設定することを特徴としている。
【００２８】
従って、印刷機による印刷開始時に照明装置の作動開始時間を設定することから、照明装置を必要な時だけ作動することとなり、照明装置の電力消費を抑制して無駄な電力消費を抑制することができる。
【００２９】
本発明の印刷設備の電力管理システムでは、前記印刷機は、主機盤が接続され、主機盤は、内部に冷却器が設けられ、前記制御装置は、前記印刷機による印刷開始時に前記冷却器の作動開始時間を設定することを特徴としている。
【００３０】
従って、印刷機による印刷開始時に冷却器の作動開始時間を設定することから、冷却器を必要な時だけ作動することとなり、冷却器の電力消費を抑制して無駄な電力消費を抑制することができる。
【発明の効果】
【００３１】
本発明の印刷設備の電力管理システムによれば、印刷機の印刷スケジュールに応じて建屋内の空調装置を作動制御するので、無駄な電力消費を抑制することができる一方で、高い印刷品質を維持することができ、印刷作業の省エネ化を促進することができる。
【図面の簡単な説明】
【００３２】
【図１】図１は、本実施形態の印刷設備を表す概略構成図である。
【図２】図２は、印刷設備の電力管理システムを表す概略構成図である。
【図３】図３は、印刷作業に対する空調設備の制御を表すタイムチャートである。
【発明を実施するための形態】
【００３３】
以下に添付図面を参照して、本発明に係る印刷設備の電力管理システムの好適な実施形態を詳細に説明する。なお、この実施形態により本発明が限定されるものではなく、また、複数の実施形態がある場合には、各実施形態を組み合わせて構成するものも含むものである。
【００３４】
図１は、本実施形態の印刷設備を表す概略構成図、図２は、印刷設備の電力管理システムを表す概略構成図、図３は、印刷作業に対する空調設備の制御を表すタイムチャートである。
【００３５】
本実施形態の印刷設備は、図１に示すように、印刷機として新聞用オフセット輪転印刷機１０を有する設備である。新聞用オフセット輪転印刷機１０は、給紙装置Ａと、インフィード装置Ｂと、印刷装置Ｃと、ウェブパス装置Ｄと、折機Ｅとから構成されている。給紙装置Ａは、複数（本実施形態では、８台）の給紙ユニットＡ１〜Ａ８を有し、インフィード装置Ｂは、複数（本実施形態では、８台）のインフィードユニットＢ１〜Ｂ８を有し、印刷装置Ｃは、複数（本実施形態では、８台）の印刷ユニットＣ１〜Ｃ８を有し、ウェブパス装置Ｄは、２台のウェブパスユニットＤ１，Ｄ２を有し、折機Ｅは、２台の折ユニットＥ１，Ｅ２を有している。
【００３６】
この新聞用オフセット輪転印刷機１０にて、建屋Ｆの１階の床面上に給紙装置Ａが設置され、１階の上部にインフィード装置Ｂが設置され、２階及び３階に印刷装置Ｃが設置され、３階から５階にウェブパス装置Ｄが設置され、また、２階及び３階に折機Ｆが設置されている。
【００３７】
給紙装置Ａにおいて、給紙ユニットＡ１〜Ａ８は、ほぼ同様の構成をなし、ウェブ（被印刷媒体）Ｗがロール状に巻かれた３つの巻取紙を保持する保持アーム１１を有し、この保持アーム１１を回動することで、巻取紙を給紙位置に回動することができる。また、この各給紙ユニットＡ１〜Ａ８には、図示しない紙継装置が設けられており、給紙位置で繰り出されている巻取紙が残り少なくなると、この紙継装置により給紙位置にある巻取紙に対して、待機位置にある巻取紙を紙継することができる。
【００３８】
インフィード装置Ｂにおいて、インフィードユニットＢ１〜Ｂ８は、ほぼ同様の構成をなし、印刷装置Ｃの各印刷ユニットＣ１〜Ｃ８に送り込むウェブＷのテンションを調整することで、印刷装置Ｃを走行するウェブＷのテンションを適正値に安定して維持するようにしている。例えば、各インフィードユニットＢ１〜Ｂ８は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００３９】
なお、給紙装置Ａからインフィード装置ＢまでのウェブＷのテンションは、給紙ユニットＡ１〜Ａ８に設けられた図示しないブレーキ装置により行っており、給紙装置Ａに設けられたテンション検出ローラの検出結果に基づいて、このブレーキ装置を制御している。また、印刷装置Ｃの下流側には、駆動源により駆動回転可能なドラグローラ１２が設けられており、このドラグローラ１２の周速やダンサローラの付勢力を制御することで、ウェブＷのテンションを調整している。
【００４０】
印刷装置Ｃにおいて、印刷ユニットＣ１〜Ｃ８は、両面４色印刷を行うことができる多色刷印刷ユニットである。但し、各印刷ユニットＣ１〜Ｃ８は、上下に分割することで、両面２色印刷を行うことができる印刷ユニットとすることができる。各印刷ユニットＣ１〜Ｃ８は、ほぼ同様の構成をなし、図示しないが、インキ供給装置、版胴、ブランケット胴などを有している。
【００４１】
ウェブパス装置Ｄにおいて、ウェブパスユニットＤ１は、印刷ユニットＣ１〜Ｃ４に対して設けられて、ウェブパスユニットＤ２は、印刷ユニットＣ５〜Ｃ８に対して設けられている。ウェブパスユニットＤ１，Ｄ２は、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。即ち、各印刷ユニットＣ１〜Ｃ４で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、各印刷ユニットＣ５〜Ｃ８で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００４２】
折機Ｅにて、折ユニットＥ１，Ｅ２は、操作側または駆動側に配設されている。即ち、ウェブパスユニットＤ１，Ｄ２から複数のウェブＷが重ねられて導入されると、折ユニットＥ１，Ｅ２は、ウェブＷを縦折りし、所定の長さで横裁断し、横折りして折帖を形成し、新聞として排紙することができる。
【００４３】
従って、新聞用オフセット輪転印刷機１０では、給紙装置Ａの各給紙ユニットＡ１〜Ａ８からそれぞれ供給された各ウェブＷは、インフィード装置Ｂの各インフィードユニットＢ１〜Ｂ８によりテンションが調整され、印刷装置Ｃの各印刷ユニットＣ１〜Ｃ８に供給される。この印刷装置Ｃにおける各印刷ユニットＣ１〜Ｃ８にて、各ウェブＷの両面に印刷が施される。そして、各印刷ユニットＣ１〜Ｃ８で印刷が施された各ウェブＷは、ウェブパスユニットＤ１，Ｄ２にて、スリッタにより縦裁断され、ターンバーにより搬送経路が変更され、コンペンセータにより搬送位置が調整されてから所定の順番に重ね合わされる。
【００４４】
その後、折機Ｅでは、ウェブパスユニットＤ１，Ｄ２から複数のウェブＷが重ねられて導入されると、折ユニットＥ１，Ｅ２は、ウェブＷを縦折りし、所定の長さで横裁断し、横折りして折帖を形成し、新聞として排紙する。
【００４５】
上述した新聞用オフセット輪転印刷機１０は、同時に２種類の印刷物を印刷することができる。即ち、新聞用オフセット輪転印刷機１０は、給紙ユニットＡ１〜Ａ４とインフィードユニットＢ１〜Ｂ４と印刷ユニットＣ１〜Ｃ４とウェブパスユニットＤ１と折ユニットＥ１とで第１ユニット１０Ａを構成すると共に、給紙ユニットＡ５〜Ａ８とインフィードユニットＢ５〜Ｂ８と印刷ユニットＣ５〜Ｃ８とウェブパスユニットＤ２と折ユニットＥ２とで第２ユニット１０Ｂを構成することができる。
【００４６】
そして、本実施形態の印刷設備は、建屋Ｆにおける第１ユニット１０Ａと第２ユニット１０Ｂとの間に可動式仕切壁２０が設けられている。この可動式仕切壁２０は、上下移動または左右移動可能であり、第１ユニット１０Ａと第２ユニット１０Ｂとの領域を連通させたり、仕切って区画したりすることができる。
【００４７】
また、本実施形態の印刷設備は、空調装置３０が設けられている。空調装置３０は、第１ユニット１０Ａに対して設けられる第１空調ユニット３０Ａと、第２ユニット１０Ｂに対して設けられる第２空調ユニット３０Ｂと、給紙装置Ａに対して設けられる第３空調ユニット３０Ｃとを有している。この空調ユニット３０Ａ，３０Ｂ，３０Ｃは、建屋Ｆ内の温度及び湿度を調整することができる。そして、第１空調ユニット３０Ａは、特に、印刷ユニットＣ１〜Ｃ４の近傍に送風口３１が設けられ、第２空調ユニット３０Ｂは、特に、印刷ユニットＣ５〜Ｃ８の近傍に送風口３２が設けられ、第３空調ユニット３０Ｃは、給紙ユニットＡ１〜Ａ４及び給紙ユニットＡ５〜Ａ８に向けて送風口３３が設けられている。
【００４８】
更に、本実施形態の印刷設備は、照明装置４０が設けられている。照明装置４０は、第１ユニット１０Ａに対して設けられる第１照明ユニット４０Ａと、第２ユニット１０Ｂに対して設けられる第２照明ユニット４０Ｂとを有している。なお、ここでは、第１ユニット１０Ａに対して第１照明ユニット４０Ａを設け、第２ユニット１０Ｂに対して第２照明ユニット４０Ｂ設けているが、実際に、各照明ユニット４０Ａ，４０Ｂは、給紙装置Ａと、インフィード装置Ｂと、印刷装置Ｃと、ウェブパス装置Ｄと、折機Ｅにおける各所に取り付けられている多数の照明４０ａ，４０ｂから構成されている。
【００４９】
このように構成された本実施形態の印刷設備は、後述する電力管理システムが適用されている。この印刷設備の電力管理システムは、新聞用オフセット輪転印刷機１０の印刷スケジュールに応じて、可動式仕切壁２０、空調装置３０、照明装置４０などを作動制御するものである。
【００５０】
ここで、本実施形態の印刷設備の電力管理システムについて説明する。なお、図２にて、実線は電力ライン、点線は制御信号ラインである。
【００５１】
本実施形態の印刷設備の電力管理システムにおいて、図２に示すように、印刷ユニットＣ１〜Ｃ８は、それぞれ主機盤５１，５２，５３，５４，６１，６２，６３，６４が接続されている。ウェブパスユニットＤ１，Ｄ２は、主機盤５５，６５が接続され、折ユニットＥ１，Ｅ２は、主機盤５６，６６が接続されている。そして、各主機盤５１〜５６，６１〜６６は、内部に補機として冷却器（冷却ファン、循環ファン、クーラ、熱交換器など）５１ａ，５２ａ，５３ａ，５４ａ，５５ａ，５６ａ，６１ａ，６２ａ，６３ａ，６４ａ，６５ａ，６６ａを有している。
【００５２】
また、印刷ユニットＣ１〜Ｃ８は、それぞれ制御盤７１，７２，７３，７４，８１，８２，８３，８４が接続されている。ウェブパスユニットＤ１，Ｄ２は、制御盤７５，８５が接続され、折ユニットＥ１，Ｅ２は、制御盤７６，８６が接続されている。
【００５３】
印刷ユニットＣ１〜Ｃ８とウェブパスユニットＤ１，Ｄ２と折ユニットＥ１，Ｅ２は、電源部（図示略）から主機盤５１〜５６，６１〜６６を介して電力が供給される。各制御盤７１〜７６，８１〜８６は、印刷ユニットＣ１〜Ｃ８とウェブパスユニットＤ１，Ｄ２と折ユニットＥ１，Ｅ２を介して電力が供給される。また、各制御盤７１〜７６，８１〜８６は、印刷ユニットＣ１〜Ｃ８とウェブパスユニットＤ１，Ｄ２と折ユニットＥ１，Ｅ２へ制御信号を出力して作動を制御する。
【００５４】
制御装置９１は、操作装置９２が接続されると共に、各制御盤７１〜７６，８１〜８６が接続されている。制御装置９１は、操作装置９２からの操作指令信号を受け、各制御盤７１〜７６，８１〜８６へ制御信号を出力し、各制御盤７１〜７６，８１〜８６が印刷ユニットＣ１〜Ｃ８とウェブパスユニットＤ１，Ｄ２と折ユニットＥ１，Ｅ２に制御信号を出力する。また、制御装置９１は、各主機盤５１〜５６，６１〜６６の冷却器５１ａ〜５６ａ，６１ａ〜６６ａが接続され、作動を制御することができる。
【００５５】
制御装置９１は、可動式仕切壁２０、空調装置３０（第１、第２、第３空調ユニット３０Ａ，３０Ｂ，３０Ｃ）、照明装置４０（第１、第２照明ユニット４０Ａ，４０Ｂ）が接続されている。制御装置９１は、操作装置９２からの操作指令信号を受け、可動式仕切壁２０、第１、第２、第３空調ユニット３０Ａ，３０Ｂ，３０Ｃ、第１、第２照明ユニット４０Ａ，４０Ｂに制御信号を出力し、作動を制御することができる。
【００５６】
この場合、新聞用オフセット輪転印刷機１０における第１ユニット１０Ａ及び第２ユニット１０Ｂの温度を検出する印刷機温度センサ１０１，１０２が設けられており、印刷機温度センサ１０１，１０２は、検出結果を制御装置９１に出力する。また、建屋Ｆの外部に外気温度センサ１０３が設けられており、外気温度センサ１０３は、検出結果を制御装置９１に出力する。制御装置９１は、印刷機温度及び外気温度に基づいて第１、第２、第３空調ユニット３０Ａ，３０Ｂ，３０Ｃの出力を調整する。なお、図示しないが、新聞用オフセット輪転印刷機１０における第１ユニット１０Ａ及び第２ユニット１０Ｂの湿度を検出する印刷機湿度センサを設け、印刷機湿度センサは、検出結果を制御装置９１に出力するように構成してもよい。
【００５７】
制御装置９１は、データベース９３が接続されている。データベース９３は、過去の各種印刷データが記憶されている。過去の各種印刷データとは、例えば、新聞用オフセット輪転印刷機１０による過去の印刷作業の最適温度管理データや最適湿度管理データである。つまり、印刷物が良好であった印刷機温度範囲や印刷機雰囲気湿度、印刷物が不良であった印刷機温度範囲や印刷機雰囲気湿度、印刷速度に対応した印刷機温度や印刷機雰囲気湿度である。また、データベース９３は、印刷開始時に、建屋Ｆ内の温度及び湿度が最適値となるように、事前に空調装置３０を作動させるための作動開始時間が最適作動開始時間データとして記憶されており、制御装置９１は、その最適作動開始時間データを繰り返し記憶する学習機能を有しており、常に最適な管理が可能となっている。
【００５８】
このように構成された本実施形態の印刷設備の電力管理システムは、新聞用オフセット輪転印刷機１０の印刷スケジュールに応じて可動式仕切壁２０、空調装置３０（第１、第２、第３空調ユニット３０Ａ，３０Ｂ，３０Ｃ）、照明装置４０（第１、第２照明ユニット４０Ａ，４０Ｂ）、冷却器５１ａ〜５６ａ，６１ａ〜６６ａを作動制御する。
【００５９】
即ち、制御装置９１は、新聞用オフセット輪転印刷機１０による印刷開始時に印刷機温度が予め設定された目標温度となるように第１、第２空調ユニット３０Ａ，３０Ｂの作動開始時間を設定する。なお、印刷装置Ｃが設置された部屋は、温度や湿度に敏感なインキや紙などを取り扱うことから、制御装置９１は、第１、第２空調ユニット３０Ａ，３０Ｂを詳細に制御する。しかし、給紙装置Ａは、インキを取り扱わないことから、制御装置９１は、第３空調ユニット３０Ｃの詳細な制御は不要である。但し、紙継装置により巻取紙を紙継することから、湿度が一定となるように制御する必要がある。
【００６０】
このとき、制御装置９１は、印刷機温度センサ１０１，１０２が検出した印刷機温度に基づいて第１、第２、第３空調ユニット３０Ａ，３０Ｂ，３０Ｃを作動制御する。なお、制御装置９１は、印刷機湿度センサが検出した印刷機湿度に基づいて第１、第２、第３空調ユニット３０Ａ，３０Ｂ，３０Ｃを作動制御してもよい。この場合、印刷機温度センサ１０１，１０２は、各印刷ユニットＣ１〜Ｃ８における版胴やブランケットの温度（湿度）、その周辺温度（周辺湿度）を検出することが好ましい。また、制御装置９１は、外気温度センサ１０３が検出した外気温度に基づいて第１、第２、第３空調ユニット３０Ａ，３０Ｂ，３０Ｃを作動制御する。
【００６１】
そして、制御装置９１は、新聞用オフセット輪転印刷機１０による印刷終了時と同時に第１、第２、第３空調ユニット３０Ａ，３０Ｂ，３０Ｃを停止する。但し、制御装置９１は、新聞用オフセット輪転印刷機１０による印刷終了時から次の印刷開始時までの待機時間が予め設定された上限時間より短いときは、新聞用オフセット輪転印刷機１０による印刷終了時に第１、第２、第３空調ユニット３０Ａ，３０Ｂ，３０Ｃの作動を継続する。
【００６２】
制御装置９１は、第１ユニット１０Ａと第２ユニット１０Ｂのいずれかが停止中であるとき、可動式仕切壁２０により稼働中のユニット１０Ａ，１０Ｂを区画する。
【００６３】
制御装置９１は、第１、第２ユニット１０Ａ，１０Ｂの消費電力と第１、第２空調ユニット３０Ａ，３０Ｂの消費電力の消費電力を合計した合計消費電力が予め設定された所定の上限消費電力を超えないように新聞用オフセット輪転印刷機１０の印刷スケジュールを調整する。事業者は、電力会社との間で契約電力の契約を締結しており、当月を含む過去１年間の各月の最大需要電力（総合消費電力）が、この契約電力を超えないようにすることで、無駄な電力料金の発生を防止している。ここで、最大需要電力（総合消費電力）とは、新聞用オフセット輪転印刷機１０や空調装置３０の消費電力だけでなく、可動式仕切壁２０、照明装置４０、事務所の各種機器（パソコンなど）など建屋Ｆ内の印刷設備で消費される消費電力の合計値である。
【００６４】
制御装置９１は、データベース９３の管理データに基づいて第１、第２、第３空調ユニット３０Ａ，３０Ｂ，３０Ｃを作動制御する。
【００６５】
以下、本実施形態の印刷設備の電力管理システムによる、電力管理方法について説明する。以下に説明する事例は、夏季であり、高温となる建屋Ｆ内を冷却する場合について説明する。
【００６６】
図３に示すように、新聞用オフセット輪転印刷機１０にて、第１ユニット１０Ａは、第１ジョブが時間ｔ７〜ｔ１０に組み込まれると共に、第２ジョブが時間ｔ１７〜ｔ１９に組み込まれる印刷スケジュールが設定されている。また、第２ユニット１０Ｂは、第３ジョブが時間ｔ４〜ｔ９に組み込まれると共に、第４ジョブが時間ｔ１２〜ｔ１４に組み込まれる印刷スケジュールが設定されている。
【００６７】
従って、制御装置９１は、時間ｔ４に第２ユニット１０Ｂの第３ジョブが開始されることを考慮し、時間ｔ１にて、第２空調ユニット３０Ｂの作動を開始すると共に、その出力（電力）を徐々に低下させていく。すると、第２ユニット１０Ｂ側の室温が低下していき、時間ｔ３にて、目標温度となる。ここで、第２空調ユニット３０Ｂの出力を一定とする。そして、時間ｔ４にて、第２ユニット１０Ｂを用いて印刷を開始し、且つ、第２照明ユニット４０Ｂを点灯すると共に、冷却器６１ａ〜６６ａを作動する。また、このとき、第２ユニット１０Ｂの作動に伴って熱を発生することから、第２空調ユニット３０Ｂの出力が間ｔ５まで上昇する。
【００６８】
一方、制御装置９１は、時間ｔ７に第１ユニット１０Ａの第１ジョブが開始されることを考慮し、時間ｔ２にて、第１空調ユニット３０Ａの作動を開始すると共に、その出力（電力）を徐々に低下させていく。すると、第１ユニット１０Ａ側の室温が低下していき、時間ｔ６にて、目標温度となる。ここで、第１空調ユニット３０Ａの出力を一定とする。そして、時間ｔ７にて、第１ユニット１０Ａを用いて印刷を開始し、且つ、第１照明ユニット４０Ａを点灯すると共に、冷却器５１ａ〜５６ａを作動する。また、このとき、第１ユニット１０Ａの作動に伴って熱を発生することから、第１空調ユニット３０Ａの出力が間ｔ８まで上昇する。
【００６９】
また、当初、可動式仕切壁２０により、建屋Ｆ内が第１ユニット１０Ａと第２ユニット１０Ｂに仕切られていたが、第２ユニット１０Ｂが作動した後、第１ユニット１０Ａが作動した時間ｔ７にて、可動式仕切壁２０を移動して第１ユニット１０Ａと第２ユニット１０Ｂの間から除去し、第１ユニット１０Ａと第２ユニット１０Ｂを連通する。
【００７０】
続いて、時間ｔ９にて、第３ジョブが終了したので、第２ユニット１０Ｂを停止し、同時に、第２空調ユニット３０Ｂの出力を低下していき、第２照明ユニット４０Ｂを消灯すると共に、冷却器６１ａ〜６６ａを停止する。このとき、制御装置９１は、第３ジョブの終了から第４ジョブの開始までの待機時間ｔｂが予め設定された上限時間より短いことから、第３ジョブの終了時に第２空調ユニット３０Ｂの出力を停止せずに、出力を低下することで作動を継続し、時間ｔ１１で出力を一定とし、目標温度を維持する。
【００７１】
また、時間ｔ１０にて、第１ジョブが終了したので、第１ユニット１０Ａを停止し、同時に、第１空調ユニット３０Ａを停止し、第１照明ユニット４０Ａを消灯すると共に、冷却器５１ａ〜５６ａを停止する。このとき、制御装置９１は、第１ジョブの終了から第２ジョブの開始までの待機時間ｔａが予め設定された上限時間より長いことから、第１ジョブの終了時に第１空調ユニット３０Ａの出力を停止する。その後、室温Ａは上昇していく。
【００７２】
制御装置９１は、時間ｔ１２に、第２ユニット１０Ｂを用いて印刷を開始し、且つ、第２照明ユニット４０Ｂを点灯すると共に、冷却器６１ａ〜６６ａを作動する。このとき、第２空調ユニット３０Ｂの作動を継続していることから、目標温度に維持されている。そして、このとき、第２ユニット１０Ｂの作動に伴って熱を発生することから、第２空調ユニット３０Ｂの出力が時間ｔ１３まで上昇する。
【００７３】
その後、時間ｔ１４にて、第４ジョブが終了したので、第２ユニット１０Ｂを停止し、同時に、第２空調ユニット３０Ｂを停止し、第２照明ユニット４０Ｂを消灯すると共に、冷却器６１ａ〜６６ａを停止する。その後、室温Ｂは上昇していく。
【００７４】
また、制御装置９１は、時間ｔ１７にて、第１ユニット１０Ａの第２ジョブが開始されることを考慮し、時間ｔ１５にて、第１空調ユニット３０Ａの作動を開始する。すると、第１ユニット１０Ａ側の室温が低下していき、時間ｔ１６にて、目標温度となる。ここで、第１空調ユニット３０Ａの出力を一定とする。そして、時間ｔ１７にて、第１ユニット１０Ａを用いて印刷を開始し、且つ、第１照明ユニット４０Ａを点灯すると共に、冷却器５１ａ〜５６ａを作動する。また、このとき、第１ユニット１０Ａの作動に伴って熱を発生することから、第１空調ユニット３０Ａの出力が時間ｔ１８まで上昇する。
【００７５】
そして、時間ｔ１９にて、第２ジョブが終了したので、第１ユニット１０Ａを停止し、同時に、第１空調ユニット３０Ａを停止し、第１照明ユニット４０Ａを消灯すると共に、冷却器５１ａ〜５６ａを停止する。
【００７６】
また、制御装置９１は、第１ユニット１０Ａ及び第２ユニット１０Ｂにおける印刷スケジュールを調整することで、各ユニット１０Ａ，１０Ｂ及び各空調ユニット３０Ａ，３０Ｂの消費電力を合計した合計消費電力が所定の上限消費電力を超えないようにしている。事業者が電力会社と締結した契約電力は、新聞用オフセット輪転印刷機１０や空調装置３０を含んだ建屋Ｆ内の印刷設備で消費される消費電力の上限値であり、印刷設備での最大需要電力（総合消費電力）がこの契約電力を超えないようにしている。ここで、印刷設備全体での消費電力は、新聞用オフセット輪転印刷機１０や空調装置３０の消費電力が多くを占め、且つ、変動する一方、他の各種機器での消費電力は、低く安定している。特に、各ユニット１０Ａ，１０Ｂ及び各空調ユニット３０Ａ，３０Ｂは、起動時に大きな消費電力を必要とすることから、各ジョブにおける印刷開始時間が重ならないようにしている。
【００７７】
上述の説明では、夏季における電力管理について説明したが、冬季の場合、低温となる建屋Ｆ内を暖房する必要が生じるだけで、その他の制御はほぼ同様である。
【００７８】
このように本実施形態の印刷設備の電力管理システムにあっては、建屋Ｆと、建屋Ｆ内に設置されてウェブＷに対して印刷を行う新聞用オフセット輪転印刷機１０と、建屋Ｆ内の温度を調整する空調装置３０と、新聞用オフセット輪転印刷機１０の印刷スケジュールに応じて空調装置３０を作動制御する制御装置９１とを設けている。
【００７９】
従って、制御装置９１は、新聞用オフセット輪転印刷機１０の印刷スケジュールに応じて空調装置３０を作動制御するため、印刷中は、室温、つまり、印刷機温度が適正温度に維持される一方、印刷終了後は、空調装置３０が停止して電力消費が抑制されることとなり、無駄な電力消費を抑制することができる一方で、高い印刷品質を維持することができ、その結果、印刷作業の省エネ化を促進することができる。
【００８０】
本実施形態の印刷設備の電力管理システムでは、制御装置９１は、新聞用オフセット輪転印刷機１０による印刷開始時に印刷機温度が予め設定された目標温度となるように空調装置３０の作動開始時間を設定している。従って、印刷開始時に目標温度となるように、印刷開始前に空調装置３０を作動して室温を調整することとなり、空調装置３０を常時作動させる必要はなく、必要な時だけ作動することから、空調装置３０の電力消費を抑制して無駄な電力消費を抑制することができる。
【００８１】
本実施形態の印刷設備の電力管理システムでは、印刷機温度を検出する印刷機温度センサ１０１，１０２を設け、制御装置９１は、印刷機温度センサ１０１，１０２が検出した印刷機温度に基づいて空調装置３０を作動制御している。従って、印刷機温度に基づいて空調装置３０を作動制御（フィードバック制御）することから、印刷機温度を目標温度に適正に維持することができる。
【００８２】
本実施形態の印刷設備の電力管理システムでは、制御装置９１は、新聞用オフセット輪転印刷機１０による印刷終了時と同時に空調装置３０を停止している。従って、印刷終了時と同時に空調装置３０を停止することで、空調装置３０の電力消費を抑制して無駄な電力消費を抑制することができる。
【００８３】
本実施形態の印刷設備の電力管理システムでは、制御装置９１は、新聞用オフセット輪転印刷機１０による印刷終了時から次の印刷開始時までの待機時間ｔａ，ｔｂが予め設定された上限時間より短いときは、印刷終了時に空調装置３０の作動を継続している。従って、印刷終了と同時に空調装置３０を停止することで、空調装置３０の電力消費を抑制する必要がある一方で、印刷開始時に印刷機を目標温度とするには、事前に空調装置３０を作動して室温を調整する必要がある。この場合、印刷終了時から次の印刷開始時までの待機時間が上限時間より短いときは、空調装置３０を停止して再作動するよりも、空調装置３０を低出力で作動しておく方が、電力消費が抑制される。そのため、印刷終了時から次の印刷開始時までの待機時間ｔａ，ｔｂに応じて空調装置３０の停止と作動を選択することで、無駄な電力消費を抑制することができる。
【００８４】
本実施形態の印刷設備の電力管理システムでは、新聞用オフセット輪転印刷機１０は、複数のユニット１０Ａ，１０Ｂを有すると共に、各ユニット１０Ａ，１０Ｂを仕切る可動式仕切壁２０を有し、制御装置９１は、各ユニット１０Ａ，１０Ｂのいずれかが停止中であるとき、可動式仕切壁２０により稼働中のユニット１０Ａ，１０Ｂを区画する。従って、可動式仕切壁２０により稼働中のユニット１０Ａ，１０Ｂを区画するため、空調装置３０が温度制御する領域が減少することとなり、空調装置３０の出力を低下させることで消費電力を低減することができる。
【００８５】
本実施形態の印刷設備の電力管理システムでは、新聞用オフセット輪転印刷機１０は、複数のユニット１０Ａ，１０Ｂを有し、空調装置３０は、ユニット１０Ａ，１０Ｂに対応する複数の空調ユニット３０Ａ，３０Ｂを有し、制御装置９１は、各ユニット１０Ａ，１０Ｂ及び各空調ユニット３０Ａ，３０Ｂの消費電力を合計した合計消費電力が予め設定された上限消費電力を超えないように印刷スケジュールを調整している。従って、印刷設備全体の総合消費電力を契約電力以下に維持することができ、無駄な電力料金の発生を防止することができる。
【００８６】
本実施形態の印刷設備の電力管理システムでは、建屋Ｆの外気温度を検出する外気温度センサ１０３を設け、制御装置９１は、外気温度センサ１０３が検出した外気温度に基づいて空調装置３０を作動制御している。従って、空調装置３０により室温を上昇させたり、低下させたりする能力は、外気温度により上下することから、外気温度に基づいて空調装置３０を作動制御することで、印刷スケジュールに合わせて印刷機温度を適正に調整することができる。
【００８７】
本実施形態の印刷設備の電力管理システムでは、新聞用オフセット輪転印刷機１０による印刷作業の最適温度管理データ及び最適湿度管理データを格納するデータベース９３を設け、制御装置９１は、データベース９３の管理データに基づいて空調装置３０を作動制御している。従って、過去の最適温度管理データや最適湿度管理データに基づいて空調装置３０を作動制御することで、空調装置３０の制御を簡単で高精度に行うことができる。また、データベース９３は、印刷開始時に最適な温度となるよう事前に空調装置３０を作動させるための作動開始時間が最適作動開始時間データとして記憶されており、制御装置９１は、その最適作動開始時間データを繰り返し記憶する学習機能を有しており、常に最適な管理が可能となっている。
【００８８】
なお、上述した実施形態では、新聞用オフセット輪転印刷機１０を、給紙装置Ａとインフィード装置Ｂと印刷装置Ｃとウェブパス装置Ｄと折機Ｅとから構成し、各機器を複数のユニットから構成したが、本発明の印刷設備の電力管理システムは、このような印刷機に限定されるものではなく、各装置及びユニットは、印刷する媒体に応じて適宜組み合わせればよいものである。
【００８９】
また、上述した実施形態では、各ユニット１０Ａ，１０Ｂに対応して空調ユニット３０Ａ，３０Ｂを設けたが、一つのユニットに対応して複数の空調ユニットを設けてもよく、また、一つのユニットに対応して複数の印刷機温度センサを設けることで、複数の空調ユニットの作動制御をより細かく行ってもよい。
【符号の説明】
【００９０】
１０  新聞用オフセット輪転印刷機（印刷機）
２０  可動式仕切壁
３０  空調装置
３０Ａ，３０Ｂ，３０Ｃ  空調ユニット
４０  照明装置
４０Ａ，４０Ｂ  照明ユニット
９１  制御装置
９２  操作装置
９３  データベース
１０１，１０２  印刷機温度センサ
１０３  外気温度センサ
Ａ  給紙装置
Ａ１〜Ａ８  給紙ユニット
Ｂ  インフィード装置
Ｂ１〜Ｂ８  インフィードユニット
Ｃ  印刷装置
Ｃ１〜Ｃ８  印刷ユニット
Ｄ  ウェブパス装置
Ｄ１，Ｄ２  ウェブパスユニット
Ｅ  折機
Ｅ１，Ｅ２  折ユニット
Ｗ  ウェブ（被印刷媒体）
【図１】
2015147371.tif 000003
【図２】
2015147371.tif 000004
【図３】
2015147371.tif 000005